(57)【特許請求の範囲】
【請求項１】
コンピューティングデバイスが、第１の無線プロトコルに対応する第１の共鳴周波数を有する第１アンテナを通じて信号を受信する工程であって、前記信号は、別のデバイスから前記コンピューティングデバイスへの無線通信に対応し、特定の周波数においてピーク振幅を有する、前記工程と、
前記コンピューティングデバイスが、受信された前記信号における干渉に対応する周波数レスポンスシフトを符号化しているデータにアクセスする工程であって、前記周波数レスポンスシフトは、前記第１アンテナに結合された前記コンピューティングデバイスのモデムによって、検知及び符号化される、前記工程と、
前記コンピューティングデバイスが、前記データに符号化された前記周波数レスポンスシフトに少なくとも部分的に基づいて、前記コンピューティングデバイスの周囲の状態又は動作状態を判定する工程と、
前記コンピューティングデバイスが、前記コンピューティングデバイスの前記状態の前記判定に応じて、前記周波数レスポンスシフトに少なくとも部分的に基づいて前記第１アンテナから第２の無線プロトコルに対応する第２の共鳴周波数を有する第２アンテナに役割を交換する工程であって、前記第２アンテナの共鳴周波数と前記特定の周波数との差は、前記第１アンテナの前記共鳴周波数と前記特定の周波数との差よりも小さい、前記工程と、を備える、方法。
【請求項２】
前記干渉の原因は、物体が前記コンピューティングデバイスに近接した状態になること又は物体が前記コンピューティングデバイスに接触した状態になることを含む、請求項１に記載の方法。
【請求項３】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項２に記載の方法。
【請求項４】
前記コンピューティングデバイスが、前記周囲の状態又は前記動作状態に応じて、前記
コンピューティングデバイスの所定の機能を開始する工程をさらに備える、請求項１に記載の方法。
【請求項５】
前記所定の機能は、前記コンピューティングデバイスとの物理的な接触に応じて、前記コンピューティングデバイスの動作を再開することを含む、請求項４に記載の方法。
【請求項６】
前記無線通信は、実質的にグローバル・システム・フォー・モバイル・コミュニケーションズ（ＧＳＭ（登録商標））の規格に従う、請求項１に記載の方法。
【請求項７】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項１に記載の方法。
【請求項８】
１つ以上の非一時的なコンピュータ可読記憶媒体であって、実行時に、
第１の無線プロトコルに対応する第１の共鳴周波数を有する第１アンテナを通じて信号を受信することであって、前記信号は、別のデバイスからコンピューティングデバイスへの無線通信に対応し、特定の周波数においてピーク振幅を有する、前記受信することと、
受信された前記信号における干渉に対応する周波数レスポンスシフトを符号化しているデータにアクセスすることであって、前記周波数レスポンスシフトは、前記第１アンテナに結合された前記コンピューティングデバイスのモデムによって、検知及び符号化される、前記アクセスすることと、
前記データに符号化された前記周波数レスポンスシフトに少なくとも部分的に基づいて、前記コンピューティングデバイスの周囲の状態又は動作状態を判定することと、
前記コンピューティングデバイスの前記状態の前記判定に応じて、前記周波数レスポンスシフトに少なくとも部分的に基づいて前記第１アンテナから第２の無線プロトコルに対応する第２の共鳴周波数を有する第２アンテナに役割を交換することであって、前記第２アンテナの共鳴周波数と前記特定の周波数との差は、前記第１アンテナの前記共鳴周波数と前記特定の周波数との差よりも小さい、前記役割を交換することと、を行うように構成されている論理を具現する、媒体。
【請求項９】
前記干渉の原因は、物体が前記コンピューティングデバイスに近接した状態になること又は物体が前記コンピューティングデバイスに接触した状態になることを含む、請求項８に記載の媒体。
【請求項１０】
前記無線通信は、実質的にグローバル・システム・フォー・モバイル・コミュニケーションズ（ＧＳＭ（登録商標））の規格に従う、請求項８に記載の媒体。
【請求項１１】
前記論理は、前記周囲の状態又は前記動作状態に応じて、前記コンピューティングデバイスの所定の機能を開始するようにさらに構成されている、請求項８に記載の媒体。
【請求項１２】
前記所定の機能は、前記コンピューティングデバイスとの物理的な接触に応じて、前記コンピューティングデバイスの動作を再開することを含む、請求項１１に記載の媒体。
【請求項１３】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項１１に記載の媒体。
【請求項１４】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項８に記載の媒体。
【請求項１５】
コンピューティングデバイスであって、
１つ以上のアンテナと、
前記アンテナのうちの１つ以上に結合されている、１つ以上の非一時的なコンピュータ可読記憶媒体と、を備え、該コンピュータ可読記憶媒体は、実行時に、
前記１つ以上のアンテナのうちの第１の無線プロトコルに対応する第１の共鳴周波数を有する第１アンテナを通じて信号を受信することであって、前記信号は、別のデバイスからの無線通信に対応し、特定の周波数においてピーク振幅を有する、前記受信することと、
受信された前記信号における干渉に対応する周波数レスポンスシフトを符号化しているデータにアクセスすることであって、前記周波数レスポンスシフトは、前記第１アンテナに結合されたモデムによって、検知及び符号化される、前記アクセスすることと、
前記データに符号化された前記周波数レスポンスシフトに少なくとも部分的に基づいて、周囲の状態又は動作状態を判定することと、
前記状態の前記判定に応じて、前記周波数レスポンスシフトに少なくとも部分的に基づいて前記第１アンテナから前記１つ以上のアンテナのうちの第２の無線プロトコルに対応する第２の共鳴周波数を有する第２アンテナに役割を交換することであって、前記第２アンテナの共鳴周波数と前記特定の周波数との差は、前記第１アンテナの前記共鳴周波数と前記特定の周波数との差よりも小さい、前記役割を交換することと、を行うように構成されている論理を具現する、コンピューティングデバイス。
【請求項１６】
前記干渉の原因は、物体が前記コンピューティングデバイスに近接した状態になること又は物体が前記コンピューティングデバイスに接触した状態になることを含む、請求項１５に記載のコンピューティングデバイス。
【請求項１７】
前記周囲の状態は、
前記コンピューティングデバイスが、ユーザと物理的に接触していることと、
前記コンピューティングデバイスが、ポケットの中に配置されていることと、
前記コンピューティングデバイスが、テーブルに配置されていることと、のうちの１つ以上を含む、請求項１６に記載のコンピューティングデバイス。
【請求項１８】
前記論理は、前記周囲の状態又は前記動作状態に応じて、前記コンピューティングデバイスの所定の機能を開始するようにさらに構成されている、請求項１５に記載のコンピューティングデバイス。
【請求項１９】
前記所定の機能は、前記コンピューティングデバイスとの物理的な接触に応じて、前記コンピューティングデバイスの動作を再開することを含む、請求項１８に記載のコンピューティングデバイス。
【請求項２０】
前記無線通信は、実質的にグローバル・システム・フォー・モバイル・コミュニケーションズ（ＧＳＭ（登録商標））の規格に従う、請求項１５に記載のコンピューティングデバイス。
【請求項２１】
前記周囲の状態は、
前記コンピューティングデバイスが、職場にあることと、
前記コンピューティングデバイスが、住宅にあることと、
前記コンピューティングデバイスが、公共の場所にあることと、のうちの１つ以上を含む、請求項１５に記載のコンピューティングデバイス。
【発明の詳細な説明】
【技術分野】
【０００１】
本発明は、方法、１つ以上の非一時的なコンピュータ可読記憶媒体、及びモバイル機器に関する。
【背景技術】
【０００２】
スマートフォン、タブレット機器、ラップトップコンピュータ等のモバイル電子機器は、表示画面を有するハンドヘルドのコンピューティングデバイスの場合がある。モバイル機器によって、タッチ（接触）入力や小型キーボードが提供され得る。モバイル機器は、例えば、ショートメッセージサービス（ＳＭＳ）、マルチメディアメッセージングサービス（ＭＭＳ）、電子メール、インターネットアクセス、近距離無線通信（赤外線、ブルートゥース（登録商標））、仕事用アプリケーション、ゲーム、又は写真撮影等の１つ以上のアプリケーションを実行するために汎用コンピューティング性能を有することがある。スマートフォンは、ある地理的エリア内を移動中に無線周波数（ＲＦ）の通信リンクを通じて提供される、汎用コンピューティング性能及び汎用電話通信性能を有する特定の種類のモバイル機器である。スマートフォンは、公衆電話網やモバイルインターネットアクセスへの接続のためにセルラネットワークに接続する。
【図面の簡単な説明】
【０００３】
【図１】例示的なモバイル機器を示す図。
【図２】例示的なモバイル機器の例示的な内部の構成要素を示す図。
【図３】例示的なモバイル機器の例示的な通信構成要素を示す図。
【図４Ａ】例示的なモバイル機器の例示的な使用を示す図。
【図４Ｂ】例示的なモバイル機器の例示的な信号を示す図。
【図５】モバイル機器の周囲の状態又は動作状態を判定するための例示的な方法を示す図。
【発明を実施するための形態】
【０００４】
請求項１に記載されている本発明の第１態様によれば、モバイル機器のアンテナを通じて受信される信号におけるレスポンスシフトを符号化しているデータにアクセスする工程であって、信号は、別の機器から当該モバイル機器への無線通信に対応し、レスポンスシフトは、アンテナに結合されたモバイル機器のモデムによって、検知及び符号化される、工程と、データに符号化されたレスポンスシフトに少なくとも部分的に基づいて、モバイル機器の周囲の状態又は動作状態を判定する工程とを（少なくとも）有し又は備える、方法が提供される。
【０００５】
請求項８に記載されている本発明のさらなる態様によれば、１つ以上の非一時的なコンピュータ可読記憶媒体であって、実行時に、モバイル機器のアンテナを通じて受信される信号におけるレスポンスシフトを符号化しているデータにアクセスし、信号は、別の機器から当該モバイル機器への無線通信に対応し、レスポンスシフトは、アンテナに結合されたモバイル機器のモデムによって、検知及び符号化されることと、データに符号化されたレスポンスシフトに少なくとも部分的に基づいて、モバイル機器の周囲の状態又は動作状態を判定することと、を行うように構成されている論理を具現する、媒体が提供される。
【０００６】
請求項１５に記載されている本発明のさらなる態様によれば、機器、好適にはモバイル機器であって、１つ以上のアンテナと、本発明による、好適には、請求項１乃至７のいずれか一項に記載の１つ以上の非一時的なコンピュータ可読記憶媒体とを備える、機器が提供される。
【０００７】
さらに記載され得る本発明のさらなる別態様では、機器であって、１つ以上のアンテナと、１つ以上のアンテナに結合されている、１つ以上の非一時的なコンピュータ可読記憶媒体とを備え、その媒体は、実行時に、アンテナのうちの少なくとも１つを通じて受信される信号におけるレスポンスシフトを符号化しているデータにアクセスし、信号は、別の機器から当該機器への無線通信に対応し、レスポンスシフトは、アンテナのうちの少なくとも１つに結合された機器のモデムによって、検知及び符号化されることと、データに符号化されたレスポンスシフトに少なくとも部分的に基づいて、機器の周囲の状態又は動作状態を判定することと、を行うように構成されている論理を具現する、機器が提供される。
【０００８】
有利な、好適な、及び／又は具体的な実施形態が、従属項に記載されている。従属項の全ての特徴は、本発明の任意の態様による（モバイル）機器に対して等しく記載され得る。
【０００９】
方法、媒体、装置のうちの少なくとも１つの好適な実施形態では、レスポンスシフトは、周波数、位相、又は振幅のレスポンスシフトである。
方法、媒体、装置のうちの少なくとも１つの有利な実施形態では、レスポンスシフトは、信号に対する干渉によって生じ、好適には、干渉の原因は、物体がモバイル機器に近接した状態になること又は物体がモバイル機器に接触した状態になることを含む。
【００１０】
方法、媒体、装置のうちの少なくとも１つの好適な実施形態では、周囲の状態又は動作状態に応じて、モバイル機器の所定の機能が開始され、好適には、所定の機能は、モバイル機器との物理的な接触に応じて、モバイル機器の動作を再開することを含む。
【００１１】
無線通信は、全ての実施形態において、実質的にグローバル・システム・フォー・モバイル・コミュニケーションズ（ＧＳＭ）（登録商標）の規格に従うことが可能である。
図１は、例示的なモバイル機器を示す。本開示では、任意の適した物理的形状を成すモバイル機器１０が意図されている。例として、限定するものではなく、モバイル機器１０は、シングルボードコンピュータシステム（ＳＢＣ）（例えば、コンピュータオンモジュール（ＣＯＭ）又はシステムオンモジュール（ＳＯＭ）等）、ラップトップ若しくはノートブックのコンピュータシステム、モバイル電話、スマートフォン、携帯情報端末（ＰＤＡ）、タブレットコンピュータシステム、又はこれらの２つ以上の組み合わせの場合がある。特定の実施形態では、モバイル機器１０は、入力構成要素としてタッチスクリーン１２を有してもよい。図１の例では、タッチスクリーン１２は、モバイル機器１０の前部表面に組み入れられている。容量タッチセンサの場合、２種類の電極が存在することがある。すなわち、送り側（電極）と受け側（電極）である。これらの電極は、制御部に接続されており、その制御部は、送り側（電極）に電気パルスを加え、タッチ入力又は近接入力によって生じた容量変化を受け側（電極）から測定するように構成されている。図１の例では、１つ以上のアンテナ１４Ａ−Ｂが、モバイル機器１０の１つ以上の側面に組み入れられる。アンテナ１４Ａ−Ｂは、電流を無線波に変換したり電波を電流に変換したりする構成要素である。信号の送信中、送信機は、発振している無線周波数（ＲＦ）の電流をアンテナ１４Ａ−Ｂの末端に加え、アンテナ１４Ａ−Ｂは、加えられた電流のエネルギを電磁（ＥＭ）波として放射する。信号の受信中、アンテナ１４Ａ−Ｂは、入射ＥＭ波のパワーをアンテナ１４Ａ−Ｂの末端における電圧に変換する。電圧は、増幅のために受信機に送られてもよい。
【００１２】
図２は、例示的なモバイル機器の例示的な内部の構成要素を示す。適切な場合、１つ以上のモバイル機器１０は、実質的に空間的又は時間的な制限なく、本明細書において説明し又は示す１つ以上の方法の１つ以上の工程を実行できる。例として、限定するものでは
なく、１つ以上のモバイル機器１０は、リアルタイム又はバッチモードで、本明細書において説明し又は示す１つ以上の方法の１つ以上の工程を実行できる。特定の実施形態では、１つ以上のモバイル機器１０は、本明細書において説明し又は示す１つ以上の方法の１つ以上の工程を実行できる。特定の実施形態では、１つ以上のモバイル機器１０は、本明細書において説明し又は示す機能を提供する。特定の実施形態では、１つ以上のモバイル機器１０上で稼働しているソフトウェアは、本明細書において説明し又は示す１つ以上の方法の１つ以上の工程を実行し、本明細書において説明し又は示す機能を提供する。特定の実施形態は、１つ以上のモバイル機器１０の１つ以上の部分を含む。
【００１３】
特定の実施形態では、モバイル機器１０は、プロセッサ１６と、メモリ１８と、記憶部２２と、入力／出力（Ｉ／Ｏ）インタフェース２４と、通信構成要素２０と、バス２６とを備える。本開示は、特定の数の特定の構成要素を特定の配置で有する特定のモバイル機器を説明し及び示しているが、本開示では、任意の適した数の任意の適した構成要素を任意の適した配置で有する任意の適したモバイル機器が意図されている。特定の実施形態では、プロセッサ１６は、コンピュータプログラム又はアプリケーションを構成する命令等の命令を実行するためのハードウェアを備える。例として、限定するものではなく、命令を実行するために、プロセッサ１６は、内部レジスタ、内部キャッシュ、メモリ１８、又は記憶部２２から命令を取得すること（すなわち、フェッチすること）ができ、その命令をデコード及び実行でき、次いで、内部レジスタ、内部キャッシュ、メモリ１８、又は記憶部２２に１つ以上の結果を書込できる。
【００１４】
特定の実施形態では、プロセッサ１６は、データ、命令、又はアドレスのための１つ以上の内部キャッシュを備えていてもよい。本開示では、適切な場合、任意の適した数の任意の適した内部キャッシュを備えるプロセッサ１６が意図されている。例として、限定するものではなく、プロセッサ１６は、１つ以上の命令キャッシュと、１つ以上のデータキャッシュと、１つ以上のトランスレーション・ルックアサイド・バッファ（ＴＬＢ）とを備えていてもよい。命令キャッシュにおける命令は、メモリ１８又は記憶部２２における命令のコピーの場合があり、命令キャッシュは、プロセッサ１６によるその命令の取得を高速化できる。データキャッシュにおけるデータは、プロセッサ１６において実行する命令に関し演算するための、メモリ１８又は記憶部２２におけるデータのコピーの場合があり、プロセッサ１６において実行する次の命令によるアクセスのためや、メモリ１８又は記憶部２２に書込むための、プロセッサ１６において実行された以前の命令の結果のコピーの場合があり、又は他の適したデータのコピーの場合がある。データキャッシュは、プロセッサ１６による読出動作又は書込動作を高速化できる。ＴＬＢは、プロセッサ１６のために仮想アドレス変換を高速化できる。特定の実施形態では、プロセッサ１６は、データ、命令、又はアドレスのための１つ以上の内部レジスタを備えていてもよい。本開示では、適切な場合、任意の適した数の任意の適した内部レジスタを備えるプロセッサ１６が意図されている。適切な場合、プロセッサ１６は、１つ以上の算術論理演算装置（ＡＬＵ）を備える場合もあれば、マルチコアプロセッサの場合もあれば、１つ以上のプロセッサを備える場合もある。本開示は、特定のプロセッサを説明し及び示しているが、本開示では、任意の適したプロセッサが意図されている。
【００１５】
特定の実施形態では、プロセッサ１６によって実行されるソフトウェアは、オペレーティングシステム（ＯＳ）を備えることができる。ＯＳは、モバイル機器１０の１つ以上のハードウェア構成要素に対応したカーネル又は任意の数のデバイスドライバを備えることが可能である。例として、限定するものではなく、モバイル機器１０がスマートフォンの場合、ＯＳは、例えば、ウィンドウズ（登録商標）フォン、アンドロイド（登録商標）、シンビアン（Ｓｙｍｂｉａｎ）（登録商標）、ｉＯＳ（登録商標）、又はバダ（Ｂａｄａ）等のモバイルオペレーティングシステムの場合がある。特定の実施形態では、１つ以上のソフトウェアアプリケーションは、モバイル機器１０上で実行され得る。特定の実施形
態では、アプリケーションは、モバイル機器１０にインストールされてモバイル機器１０に存在するネイティブアプリケーションであってよい。例として、限定するものではなく、アプリケーション（例えば、グーグルマップ）は、タッチスクリーン上に地図を表示したり、家や会社を検索したり、地理的位置への方向を提供したりすることが可能であり、第２のアプリケーションは、電子メールに対するリモートアクセスを提供可能であり、第３のアプリケーション（すなわちウェブブラウザ）は、デバイスのユーザがインターネットのブラウジング及び検索をできるようにすることが可能であり、第４のアプリケーションは、写真を撮影したり映像を記録したりするためにカメラを制御可能であり、第５のアプリケーションは、デバイスのユーザがボイスオーバインターネットプロトコル（ＶｏＩＰ）又はセルラネットワークの呼出を受信したり開始したりできるようにすることが可能である。ソフトウェアアプリケーションは、ユーザインタフェース（ＵＩ）を有していてもよく、１つ以上の具体的な機能を実装してもよい。ソフトウェアアプリケーションは、具体的な機能を実装する１つ以上のソフトウェアモジュールを備えていてもよい。ソフトウェアアプリケーションの実行可能コードは、モバイル機器１０のメモリ１８又は記憶部２２に記憶される。
【００１６】
特定の実施形態では、メモリ１８は、プロセッサ１６が実行するための命令やプロセッサ１６が演算するためのデータを記憶するためのメインメモリを含む場合がある。例として、限定するものではなく、モバイル機器１０は、記憶部２２又は別の転送元（例えば、別のモバイル機器１０等）からメモリ１８に命令をロードできる。次いで、プロセッサ１６は、メモリ１８から内部レジスタ又は内部キャッシュに命令をロードできる。命令を実装するために、プロセッサ１６は、内部レジスタ又は内部キャッシュから命令を取得でき、その命令をデコードできる。命令の実行中又は実行後、プロセッサ１６は、内部レジスタ又は内部キャッシュに１つ以上の結果（中間又は最後の結果の場合がある）を書込できる。次いで、プロセッサ１６は、その１つ以上の結果をメモリ１８に書込できる。特定の実施形態では、プロセッサ１６は、（記憶部２２又は他の場所ではなく）１つ以上の内部レジスタ若しくは内部キャッシュ、又はメモリ１８における命令のみを実行し、（記憶部２２又は他の場所ではなく）１つ以上の内部レジスタ若しくは内部キャッシュ、又はメモリ１８におけるデータのみ演算する。
【００１７】
１つ以上のメモリバス（アドレスバスとデータバスとを各々含む場合がある）は、プロセッサ１６をメモリ１８に結合可能である。バス２６は、以下に説明するように、１つ以上のメモリバスを含む場合がある。特定の実施形態では、１つ以上のメモリ管理ユニット（ＭＭＵ）は、プロセッサ１６とメモリ１８との間に存在しており、プロセッサ１６により要求されるメモリ１８へのアクセスを行う。特定の実施形態では、メモリ１８は、ランダムアクセスメモリ（ＲＡＭ）を含む。このＲＡＭは、適切な場合、揮発性メモリであってよい。適切な場合、このＲＡＭは、ダイナミックＲＡＭ（ＤＲＡＭ）又はスタティックＲＡＭ（ＳＲＡＭ）であってよい。さらに、適切な場合、このＲＡＭは、シングルポート又はマルチポートのＲＡＭであってよい。本開示では、任意の適したＲＡＭが意図されている。メモリ１８は、適切な場合、１つ以上のメモリを含む場合がある。本開示は、特定のメモリを説明し及び示しているが、本開示では、任意の適したメモリが意図されている。
【００１８】
特定の実施形態では、記憶部２２は、データ又は命令のために大容量記憶部を含む。例として、限定するものではなく、記憶部２２は、ハードディスクドライブ（ＨＤＤ）、フロッピー（登録商標）ディスクドライブ、フラッシュメモリ、又はこれらの２つ以上の組み合わせを含む場合がある。記憶部２２は、適切な場合、取り外し可能な媒体、又は取り外し可能でない（すなわち、固定された）媒体を含む場合がある。記憶部２２は、適切な場合、モバイル機器１０の内部に存在する場合もあれば外部に存在する場合もある。特定の実施形態では、記憶部２２は、不揮発性のソリッドステートメモリである。特定の実施
形態では、記憶部２２は、リードオンリメモリ（ＲＯＭ）を含む。適切な場合、このＲＯＭは、マスクプログラムＲＯＭ、ＰＲＯＭ（ｐｒｏｇｒａｍｍａｂｌｅ  ＲＯＭ）、ＥＰＲＯＭ（ｅｒａｓａｂｌｅ  ＰＲＯＭ）、ＥＥＰＲＯＭ（ｅｌｅｃｔｒｉｃａｌｌｙ  ｅｒａｓａｂｌｅ  ＰＲＯＭ）、ＥＡＲＯＭ（ｅｌｅｃｔｒｉｃａｌｌｙ  ａｌｔｅｒａｂｌｅ  ＲＯＭ）、若しくはフラッシュメモリ、又はこれらの２つ以上の組み合わせの場合がある。本開示では、任意の適した物理的形状を成す大容量記憶部２２が意図されている。記憶部２２は、適切な場合、プロセッサ１６と記憶部２２との間の通信を行う１つ以上の記憶制御ユニットを含む場合がある。適切な場合、記憶部２２は、１つ以上の記憶部２２を含む場合がある。本開示は、特定の記憶部を説明し及び示すが、本開示では、任意の適した記憶部が意図されている。
【００１９】
特定の実施形態では、Ｉ／Ｏインタフェース２４は、モバイル機器１０と１つ以上のＩ／Ｏ装置との間の通信のための１つ以上のインタフェースを提供する、ハードウェア、ソフトウェア、又はその両方を含む。モバイル機器１０は、適切な場合、その１つ以上のＩ／Ｏ装置を含む場合がある。その１つ以上のＩ／Ｏ装置は、ユーザとモバイル機器１０との間の通信を可能にし得る。例として、限定するものではなく、Ｉ／Ｏ装置は、キーボード、キーパッド、１つ以上のセンサ、タッチスクリーン、マイクロホン、モニタ、マウス、プリンタ、スキャナ、スピーカ、デジタルスチルカメラ、スタイラス、トラックボール、ビデオカメラ、別の適したＩ／Ｏ装置、又はこれらの２つ以上の組み合わせを含む場合がある。本開示では、任意の適したＩ／Ｏ装置と、それに対する任意の適したＩ／Ｏインタフェース２４とが意図されている。適切な場合、Ｉ／Ｏインタフェース２４は、プロセッサ１６がその１つ以上のＩ／Ｏ装置を駆動することを可能にする、１つ以上のデバイスドライバ又はソフトウェアドライバを含む場合がある。Ｉ／Ｏインタフェース２４は、適切な場合、１つ以上のＩ／Ｏインタフェース２４を含んでもよい。本開示は、特定のＩ／Ｏインタフェースを説明し及び示しているが、本開示では、任意の適したＩ／Ｏインタフェースが意図されている。
【００２０】
特定の実施形態では、通信構成要素２０は、モバイル機器１０と、１つ以上の他のモバイル機器１０又は１つ以上のネットワークとの間の通信（例えば、パケット方式の通信等）のための１つ以上のインタフェースを提供する、ハードウェア、ソフトウェア、又はその両方を含む。例として、限定するものではなく、通信構成要素２０は、イーサネット（登録商標）若しくは他の有線方式のネットワークと通信するためのネットワークインタフェースコントローラ（ＮＩＣ）若しくはネットワークアダプタ、若しくは無線ネットワーク（例えばＷｉ−Ｆｉ（登録商標）ネットワーク等）と通信するための無線ＮＩＣ（ＷＮＩＣ）や無線アダプタ、又は第３世代移動通信（３Ｇ）若しくはロングタームエボリューション（ＬＴＥ）のネットワークなどのセルラネットワークと通信するためのモデムを含む場合がある。本開示では、任意の適したネットワークと、そのネットワークのための任意の適した通信構成要素２０とが意図されている。例として、限定するものではなく、モバイル機器１０は、アドホックネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、若しくはインターネットの１つ以上の部分、又はこれらの２つ以上の組み合わせと通信し得る。その１つ以上のネットワークのうちの１つ以上の部分は、有線の場合もあれば無線の場合もある。別例として、モバイル機器１０は、無線ＰＡＮ（ＷＰＡＮ）（例えば、ブルートゥースＷＰＡＮ等）、Ｗｉ−Ｆｉネットワーク、Ｗｉ−ＭＡＸ（登録商標）ネットワーク、携帯電話ネットワーク（例えば、グローバル・システム・フォー・モバイル・コミュニケーションズ（ＧＳＭ）、３Ｇ、又はＬＴＥのネットワーク）、若しくは他の適した無線ネットワーク、又はこれらの２つ以上の組み合わせと通信し得る。モバイル機器１０は、適切な場合、これらのネットワークのために任意の適した通信構成要素を含んでよい。通信構成要素２０は、適切な場合、１つ以上の通信構成要素を含んでよい。本開示は、特定の通信構成要素を説明し及び示してい
るが、本開示では、任意の適した通信構成要素が意図されている。
【００２１】
特定の実施形態では、バス２６は、モバイル機器１０の構成要素を互いに結合する、ハードウェア、ソフトウェア、又はその両方を含む。例として、限定するものではなく、バス２６は、グラフィックスバス、拡張業界標準アーキテクチャ（ＥＩＳＡ）バス、フロントサイドバス（ＦＳＢ）、ハイパートランスポート（ＨＴ）相互接続、業界標準アーキテクチャ（ＩＳＡ）バス、インフィニバンド相互接続、ローピンカウント（ＬＰＣ）バス、メモリバス、マイクロチャネルアーキテクチャ（ＭＣＡ）バス、シリアル・アドバンスド・テクノロジ・アタッチメント（ＳＡＴＡ）バス、ビデオエレクトロニクス規格協会のローカル（ＶＬＢ）バス、若しくは別の適したバス、又はこれらの２つ以上の組み合わせを含む場合がある。バス２６は、適切な場合、１つ以上のバス２６を含んでよい。本開示は、特定のバスを説明し及び示しているが、本開示では、任意の適したバス又は相互接続が意図されている。
【００２２】
図３は、例示的なモバイル機器の例示的な通信構成要素を示す。上記において説明したように、モバイル機器の通信構成要素２０は、無線通信のための１つ以上のアンテナ１４Ａ−Ｅと１つ以上の通信インタフェースとを含む場合がある。例として、限定するものではなく、アンテナ１４Ａ−Ｅは、例えば、３Ｇ、ＬＴＥ、ブルートゥース、Ｗｉ−Ｆｉ、グローバルポジショニングシステム（ＧＰＳ）等の無線通信プロトコルのモバイル機器１０による使用をサポートしている。様々な無線通信プロトコルの各々は、特定の周波数範囲内において動作する傾向がある。本開示は、特定の無線通信プロトコルをサポートしているアンテナを説明し及び示しているが、本開示では、任意の適した無線通信プロトコルをサポートしているアンテナが意図されている。モデム２８は、アンテナ１４Ａ−Ｅに結合され、適切な無線プロトコルに関連した特定の周波数（すなわち、共鳴周波数）において動作するようにアンテナ１４Ａ−Ｅを構成している。モデム２８は、アンテナ１４Ａ−Ｅによって受信される無線通信信号を処理するように構成されている。本明細書において、モデムとは、アナログ又はデジタルの無線信号を処理したり無線通信信号の訂正を実行したりする任意の適した信号処理構成要素を含んでいる。モデム２８は、通信構成要素１６の論理部３０又はモバイル機器のプロセッサに結合されてもよい。
【００２３】
以上で説明したように、アンテナ１４Ａ−Ｅは、受信されるＥＭ信号をアンテナ１４Ａ−Ｅの末端における電気信号に変換するように構成されている。アンテナ１４Ａ−Ｅの末端における電気信号は、モデム２８に送信される。特定の実施形態では、モバイル機器が３Ｇ又はＬＴＥのデータネットワークを通じてインターネットにアクセスする場合、第１アンテナ１４Ａと第２アンテナ１４Ｂとが使用される。モデム２８は、１つ以上の無線プロトコルを用いた使用のためにアンテナ１４Ａ−Ｂを構成する。モデム２８は、以下で示すように、モバイル機器によって使用される無線プロトコルに関連した周波数範囲内において、アンテナとモデムとの間のパワー伝達の効率を最適化するように構成される。特定の実施形態では、モデム２８は、モバイル機器により受信される信号におけるレスポンスシフトを符号化しているデータを論理部３０に送信する。論理部３０は、モデム２８から受信した符号化されたレスポンスシフトのデータを処理し、受信したレスポンスシフトのデータに基づいてモバイル機器の構成の変更を開始するように構成される場合がある。特定の実施形態では、論理部３０は、アプリケーションプログラミングインタフェース（ＡＰＩ）を通じて、符号化されるシフトデータをモデム２８から受信してもよい。他の特定の実施形態では、論理部３０は、モデム２８により受信されたレスポンスシフトのデータにおける変化に応じて、割込を受信する場合がある。本開示は、論理部とモデムとの間において情報の通信を行う特定の方法を説明しているが、本開示では、例えばＡＰＩを使用すること、割込を使用すること、又はＡＰＩと割込との組み合わせ等の任意の適した方法を通じて論理部とモデムとの間の情報の通信を行うことが意図されている。
【００２４】
図４Ａ−Ｂは、例示的なモバイル機器の例示的な使用と信号とを示している。モデム２８は、無線通信信号を効率的に受信及び送信するように、モバイル機器１０のアンテナを構成する。使用中、図４Ａの例において示すように、モバイル機器１０は、モバイル機器１０のユーザの手３２によって保持されることがある。モバイル機器１０の１つ以上のアンテナの近くに手３２が存在することによって、アンテナにより受信される信号が変化したり干渉されたりする場合がある。例として、限定するものではなく、手３２による干渉によって、周波数がシフトされる、すなわち、少なくとも部分的には手３２の皮膚や血液に含まれる水分及び鉄分のために、モバイル機器１０のアンテナにより受信される信号の受信が同調しなくなる。
【００２５】
図４Ｂの例では、スペクトル３４は、干渉なくアンテナが受信する無線通信信号の例示的なスペクトルを示している。スペクトル３６は、１つ以上のアンテナの近くの手３２の存在に伴う、無線通信信号の例示的な周波数シフトを示している。モバイル機器１０のモデムは、アンテナとモデムとの間のパワー伝達の効率を高めるように、アンテナの構成を修正する。特定の実施形態では、アンテナのインピーダンスは、アンテナの共鳴周波数と、無線通信信号のピーク振幅の周波数との差が最小化されるように調節される。本開示は、信号の干渉についての特定の原因及び特性を説明し及び示しているが、本開示では、任意の適した原因による干渉や、例えば、周波数、位相、又は振幅のレスポンスシフト等の信号の干渉に関連した任意の適した特性を測定することが意図されている。
【００２６】
特定の実施形態では、以上で説明したように、モバイル機器１０のモデムは、アンテナの共鳴周波数のシフトに対応した情報を通信構成要素の論理部にＡＰＩを通じて送信する。例として、限定するものではなく、無線通信信号の周波数シフトは、少なくとも部分的には、手３２に伴う干渉による場合がある。別例として、周波数シフトは、少なくとも部分的には、例えばポケットの布地等の無生物による干渉に起因する場合がある。特定の実施形態では、モバイル機器１０の論理部は、アンテナの共鳴周波数のシフト（受信された無線通信信号の周波数シフトを表す）の解析を通じて、様々な原因による干渉を区別できる。モバイル機器１０の論理部は、異なる干渉原因による周波数シフトの量又はパターンに基づいて、手３２による干渉と、モバイル機器がポケットの中に配置されることによる干渉とを区別できる。
【００２７】
例として、限定するものではなく、モバイル機器１０の論理部は、信号における１つの干渉原因から別の干渉原因への変化をモデムが検知することに応じて、割込を受信する場合がある。別例として、モデムから受信されるレスポンスシフトの情報は、手３２又は無生物に関連するレスポンスシフトの情報と比較されることがある。この比較に基づいて、論理部は、モバイル機器１０の１つ以上のアンテナを再構成するように、データをモデムに送信し得る。例として、限定するものではなく、レスポンスシフトの情報に基づいて、論理部は、モバイル機器１０がユーザの手３２に保持されていると判定する場合がある。判定に基づいて、論理部は、アンテナとモデムとの間のパワー伝達の効率を高めるべく、第１アンテナと第２アンテナとの役割を交換するように、構成信号をモデムに送信する場合がある。あるいは、モデムは、アンテナとモデムとの間のパワー伝達の効率を高めるべく、例えば３ＧからＧＰＳへと、異なる無線通信プロトコル用に構成される１つ以上のアンテナを使用するように、モバイル機器１０を構成する場合がある。
【００２８】
特定の実施形態では、モバイル機器のユーザに関連した特徴的な情報を編集するユーザプロファイルが作成されてもよい。特徴的な情報は、例えばＧＰＳ情報やアンテナからのレスポンスシフト情報等、１つ以上の情報源により収集されるデータから推測されることがある。例として、限定するものではなく、ユーザプロファイルの特徴的な情報は、ユーザが職場にいる最中にモバイル機器１０を手３２に保持していること、ユーザが公共の場所（例えば、レストラン）にいる最中にモバイル機器１０をポケットの中に配置している
こと、又はユーザが在宅の最中にテーブルの上にモバイル機器１０を配置していることを示す場合がある。特定の実施形態では、モバイル機器１０の通信構成要素とセンサ構成要素とは、ユーザプロファイルに基づいて構成されてよい。例として、限定するものではなく、ユーザプロファイルに基づいてユーザが職場におりモバイル機器１０を手３２に保持していると判定して、構成信号によって、第１アンテナから第２アンテナへと信号のルートが変えられることがある。別例として、スピーカの音量が、ユーザプロファイルと、ユーザが公共の場所にいる最中にポケットの中にモバイル機器１０を有していることとに基づいて、増大されてもよい。さらに、モバイル機器１０のタッチスクリーンのタッチセンシングは、モバイル機器１０がユーザのポケットの内部にあると周囲の状態が示す場合、抑制されることがある。別例として、モバイル機器１０が在宅時にテーブルに配置される場合にモバイル機器１０の電力消費を最小化するために、モバイル機器１０のディスプレイは、暗くされる場合があり、モバイル機器のタッチスクリーンは、動作しないようにされる場合がある。タッチスクリーン及びディスプレイの動作は、ユーザがモバイル機器１０に物理的に接触することを示す周囲の状態に応じて、再開されてもよい。
【００２９】
図５は、モバイル機器の周囲の状態又は動作状態を判定するための例示的な方法を示している。その方法は、工程１００から開始する場合があり、ここで、モバイル機器のアンテナを通じて受信される信号におけるレスポンスシフトを符号化しているデータが、アクセスされる。特定の実施形態では、その信号は、別の機器から当該モバイル機器への無線通信に対応する。特定の実施形態では、レスポンスシフトは、アンテナに結合されたモバイル機器のモデムによって、検知及び符号化される。工程１０２では、モバイル機器の周囲の状態又は動作状態が、データに符号化されたレスポンスシフトに少なくとも部分的に基づいて判定される。本開示は、特定の順序で行われるように、図５の方法の特定の工程を説明し及び示しているが、本開示では、任意の適した順序で行われるように、図５の方法の任意の適した工程が意図されている。さらに、本開示は、図５の方法の特定の工程を実行する特定の構成要素を説明し及び示しているが、本開示では、図５の方法の任意の適した工程を実行する任意の適した構成要素の任意の適した組み合わせが意図されている。
【００３０】
本明細書では、適切な場合、コンピュータ可読記憶媒体の参照には、半導体を主材料とした若しくは他の１つ以上の集積回路（ＩＣ）（例えば、フィールド・プログラマブル・ゲート・アレイ（ＦＰＧＡ）又は特定用途向けＩＣ（ＡＳＩＣ）等）、ハードディスクドライブ（ＨＤＤ）、ハイブリッドハードドライブ（ＨＨＤ）、オプティカルディスク、オプティカルディスクドライブ（ＯＤＤ）、光磁気ディスク、光磁気ドライブ、フロッピーディスケット、フロッピーディスクドライブ（ＦＤＤ）、磁気テープ、ソリッドステートドライブ（ＳＳＤ）、ＲＡＭドライブ、セキュアデジタルカード、セキュアデジタルドライブ、若しくは任意の他の適したコンピュータ可読記憶媒体、又はこれらの２つ以上の任意の適した組み合わせが含まれる場合がある。非一時的なコンピュータ可読記憶媒体は、適切な場合、揮発性、不揮発性、又は揮発性と不揮発性との組み合わせであってよい。
【００３１】
本明細書において、“又は（ｏｒ）”は、別様に強調して示された場合や文脈により別様に示された場合でなければ、非排他的ではなく包含的である。したがって、本明細書において、“Ａ又はＢ（Ａ  ｏｒ  Ｂ）”は、別様に強調して示された場合や文脈により別様に示された場合でなければ、“Ａ、Ｂ、又はその両方”を意味する。さらに、“及び（ａｎｄ）”は、別様に強調して示された場合や文脈により別様に示された場合でなければ、共同と別々の両方である。したがって、本明細書において、“Ａ及びＢ（Ａ  ａｎｄ  Ｂ）”は、別様に強調して示された場合や文脈により別様に示された場合でなければ、“共同して、又は別々にＡ及びＢ”を意味する。
【００３２】
本開示は、当業者が理解するであろう、本明細書における例示的な実施形態に対する全ての変更、代替、変形、改変、及び修正を含む。さらに、本開示は、本明細書における各
実施形態を特定の構成要素、要素、機能、動作、又は工程を含むとして説明し及び示しているが、その実施形態のいずれも、当業者が理解するであろう、本明細書のいずれかの場所において説明し又は示した任意の構成要素、要素、機能、動作、又は工程の任意の組み合わせ又は並べ替えを含む場合がある。さらに、特定の機能を実行するように適合され、編成され、可能とされ、構成され、できるようにされ、動作可能にされ、又は動作する、装置若しくはシステム、又は装置若しくはシステムの構成要素に対する添付の特許請求の範囲における参照は、装置、システム、又は構成要素がそのように適合され、編成され、可能とされ、構成され、できるようにされ、動作可能にされ、又は動作する限り、それ又は特定の機能が作動され、スイッチが入れられ、又は解錠されているかは問わず、その装置、システム、構成要素を含んでいる。
【図１】
0006046806.tif 000002
【図４Ａ】
0006046806.tif 000003
【図２】
0006046806.tif 000004
【図３】
0006046806.tif 000005
【図４Ｂ】
0006046806.tif 000006
【図５】
0006046806.tif 000007